Podtech/llm-jp-corpus-v4-ja_patent huggingface dataset:
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
シートを積載するシート積載部と、
前記シート積載部に積載されたシートを給送するシート給送手段と、
前記シート給送手段から給送されたシートの重送を検知する重送検知手段と、
前記重送検知手段により重送が検知されたシートが、シート搬送路の中途部から分岐したエスケープ搬送路を介して排出される重送シート排出部と、
前記重送検知手段により重送が検知され場合に、重送が検知されたシートを前記エスケープ搬送路を介して前記重送シート排出部に排出する第１モードと、前記重送が検知されたシートを前記重送シート排出部に排出せずに、前記シート搬送路上に停止させる第２モードと、を実行可能な制御手段と、を備え、
前記制御手段は、重送が検知されたシートのシート搬送方向における長さが前記エスケープ搬送路の長さに応じた所定の長さより短い場合に前記第１モードを実行し、重送が検知されたシートのシート搬送方向における長さが前記所定の長さ以上の場合に前記第２モードを実行する、
ことを特徴とするシート搬送装置。
【請求項２】
シートを積載するシート積載部と、
前記シート積載部に積載されたシートを給送するシート給送手段と、
前記シート給送手段から給送されたシートの重送を検知する重送検知手段と、
前記重送検知手段により重送が検知されたシートが、シート搬送路の中途部から分岐したエスケープ搬送路を介して排出される重送シート排出部と、
前記重送検知手段により重送が検知され場合に、重送が検知されたシートを前記エスケープ搬送路を介して前記重送シート排出部に排出する第１モードと、前記重送が検知されたシートを前記重送シート排出部に排出せずに、前記シート搬送路上に停止させる第２モードと、を実行可能な制御手段と、を備え、
前記制御手段は、重送が検知されたシートの材質に関する種類が所定の種類である場合に前記第２モードを実行し、重送が検知されたシートの材質に関する種類が前記所定の種類でない場合に前記第１モードを実行する、
ことを特徴とするシート搬送装置。
【請求項３】
前記シート搬送路上において前記重送検知手段よりもシート搬送方向下流にてシートを検知するシート検知手段を備え、
前記制御手段は、前記第２モードにおいて、前記シート検知手段のシート検知タイミングに基づいて、シートの搬送を停止する、
ことを特徴とする請求項１又は２記載のシート搬送装置。
【請求項４】
前記制御手段は、前記第２モードにおいて、前記重送検知手段の重送検知タイミングに基づいて、シートの搬送を停止する、
ことを特徴とする請求項１又は２記載のシート搬送装置。
【請求項５】
前記制御手段は、前記第２モードにおいて、前記重送検知手段よりもシート搬送方向下流にてシートを停止させる、
ことを特徴とする請求項１乃至４のいずれか１項記載のシート搬送装置。
【請求項６】
前記制御手段は、前記所定の長さを前記重送が検出されたシートの材質に関する種類に応じて変更する、
ことを特徴とする請求項１記載のシート搬送装置。
【請求項７】
前記シート給送手段から給送されてきたシートに対して画像を形成する画像形成部を備えた、
こと特徴とする請求項１乃至６のいずれか１項記載のシート搬送装置。
【手続補正２】
【補正対象書類名】明細書
【補正対象項目名】０００８
【補正方法】変更
【補正の内容】
【０００８】
本発明の一態様は、シートを積載するシート積載部と、前記シート積載部に積載されたシートを給送するシート給送手段と、前記シート給送手段から給送されたシートの重送を検知する重送検知手段と、前記重送検知手段により重送が検知されたシートが、シート搬送路の中途部から分岐したエスケープ搬送路を介して排出される重送シート排出部と、前記重送検知手段により重送が検知され場合に、重送が検知されたシートを前記エスケープ搬送路を介して前記重送シート排出部に排出する第１モードと、前記重送が検知されたシートを前記重送シート排出部に排出せずに、前記シート搬送路上に停止させる第２モードと、を実行可能な制御手段と、を備え、前記制御手段は、重送が検知されたシートのシート搬送方向における長さが前記エスケープ搬送路の長さに応じた所定の長さより短い場合に前記第１モードを実行し、重送が検知されたシートのシート搬送方向における長さが前記所定の長さ以上の場合に前記第２モードを実行する、ことを特徴とするシート搬送装置である。
また、本発明の一態様は、シートを積載するシート積載部と、前記シート積載部に積載されたシートを給送するシート給送手段と、前記シート給送手段から給送されたシートの重送を検知する重送検知手段と、前記重送検知手段により重送が検知されたシートが、シート搬送路の中途部から分岐したエスケープ搬送路を介して排出される重送シート排出部と、前記重送検知手段により重送が検知され場合に、重送が検知されたシートを前記エスケープ搬送路を介して前記重送シート排出部に排出する第１モードと、前記重送が検知されたシートを前記重送シート排出部に排出せずに、前記シート搬送路上に停止させる第２モードと、を実行可能な制御手段と、を備え、前記制御手段は、重送が検知されたシートの材質に関する種類が所定の種類である場合に前記第２モードを実行し、重送が検知されたシートの材質に関する種類が前記所定の種類でない場合に前記第１モードを実行する、ことを特徴とするシート搬送装置である。
【手続補正３】
【補正対象書類名】明細書
【補正対象項目名】００３５
【補正方法】変更
【補正の内容】
【００３５】
そして、制御装置３００は、上記長さＤ１よりも重送を検知したシートの長さが短いと判断すると（Ｓ１のＮｏ）、第１モードを実行することを決定し、分岐部２３１に配置された切り替え器２３９の切替部材を第１位置から第２位置へと切り替える（Ｓ２）。切替部材が第２位置に切り替えられると、重送を検知されたシートは、エスケープ搬送路Ｒ２へと案内され、エスケープトレイ２３２に排出される。なお、エスケープトレイ２３２へのシートの排出が完了すると、切替部材は第１位置へ戻るように制御される。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
複数の電池セル（Ｃｂ）が直列接続された組電池（９）を監視する電池監視装置（１５、１２１、１３１）であって、
前記複数の電池セルのそれぞれに対応して設けられ、対応する前記電池セルの電圧に応じた入力電圧を入力する複数のＡ／Ｄ変換器（７４、１１１）と、
前記Ａ／Ｄ変換器から出力されるデジタル信号を入力するとともに低域通過フィルタとして機能するデジタルフィルタ（５８、１３３）と、
前記デジタルフィルタによる折り返しを抑制するアンチエイリアスフィルタ（７５）と、
前記複数のＡ／Ｄ変換器の動作を制御するとともに、前記デジタルフィルタの出力信号に基づいて前記電池セルの電圧を検出する検出制御部（５９）と、
を備え、
前記検出制御部は、複数の前記入力電圧が同じタイミングでＡ／Ｄ変換されるように前記複数のＡ／Ｄ変換器の動作を制御し、
前記デジタルフィルタのカットオフ周波数は、前記アンチエイリアスフィルタのカットオフ周波数よりも低い値に設定されている電池監視装置。
【請求項２】
前記アンチエイリアスフィルタは、パイ型フィルタの構成である請求項１に記載の電池監視装置。
【請求項３】
前記アンチエイリアスフィルタは、前記複数のＡ／Ｄ変換器、前記デジタルフィルタおよび前記検出制御部とともに、半導体装置として構成されている請求項１または２に記載の電池監視装置。
【請求項４】
前記半導体装置は、
前記アンチエイリアスフィルタが形成される第１半導体チップ（１０１）と、
前記複数のＡ／Ｄ変換器、前記デジタルフィルタおよび前記検出制御部が形成される第２半導体チップ（１０２）と、
前記第１半導体チップおよび前記第２半導体チップを収容する１つのパッケージ（１０３）と、
を備える請求項３に記載の電池監視装置。
【請求項５】
さらに、前記複数の電池セルのそれぞれに対応して設けられ、対応する前記電池セルを放電するための均等化スイッチ（７１）を備え、
前記Ａ／Ｄ変換器には、対応する前記電池セルの両端子に接続される検出経路を介して、前記入力電圧が入力されるようになっており、
前記均等化スイッチは、前記検出経路とは異なる均等化経路を介して、対応する前記電池セルを放電するようになっている請求項１から４のいずれか一項に記載の電池監視装置。
【請求項６】
さらに、前記均等化経路を介して前記複数の電池セルの電圧を検出し、その検出値に基づいて前記検出経路および前記複数のＡ／Ｄ変換器に関連する故障を診断する故障診断回路（８０、１２５）を備える請求項５に記載の電池監視装置。
【請求項７】
前記故障診断回路は、前記複数の電池セルの電圧を時分割で検出する１つの電圧検出回路（５７、１２３）を備える請求項６に記載の電池監視装置。
【請求項８】
前記故障診断回路（１２５）は、前記電圧検出回路（１２３）により前記電池セルの電圧が検出される期間の少なくとも一部が前記検出制御部により前記電池セルの電圧が検出される期間と重複するように、前記電圧検出回路による前記電池セルの電圧の検出タイミングを制御する請求項７に記載の電池監視装置。
【請求項９】
前記均等化経路には、前記アンチエイリアスフィルタと同じ構成のフィルタが設けられている請求項８に記載の電池監視装置。
【請求項１０】
前記Ａ／Ｄ変換器は、前記入力電圧が与えられる２つの入力ノード間の差電圧を検出する差動構成のスイッチトキャパシタ回路（９１）を備え、
隣接する２つの前記電池セルのそれぞれに対応して設けられた２つの前記Ａ／Ｄ変換器は、２つの前記電池セルのうち一方の低電位側端子の電圧に応じた前記入力電圧を入力するための経路と２つの前記電池セルのうち他方の高電位側端子の電圧に応じた前記入力電圧を入力するための経路とを共有する構成になっている請求項１から９のいずれか一項に記載の電池監視装置。
【請求項１１】
さらに、前記組電池において最も高電位側に配置された前記電池セルの高電位側端子の電圧に応じた前記入力電圧を入力するための経路を介して流れるリーク電流と、前記組電池において最も低電位側に配置された前記電池セルの低電位側端子の電圧に応じた前記入力電圧を入力するための経路を介して流れるリーク電流と、を低減するリークキャンセル回路（７８、７９）を備える請求項８に記載の電池監視装置。
【請求項１２】
前記デジタルフィルタ（１３３）は、外部から与えられる指令信号に基づいてカットオフ周波数を変更可能な構成である請求項１〜１１のいずれか一項に記載の電池監視装置。
【手続補正２】
【補正対象書類名】明細書
【補正対象項目名】０００８
【補正方法】変更
【補正の内容】
【０００８】
請求項１に記載の電池監視装置は、複数の電池セル（Ｃｂ）が直列接続された組電池（９）を監視するものであり、複数のＡ／Ｄ変換器（７４、１１１）、デジタルフィルタ（５８、１３３）、アンチエイリアスフィルタ（７５）および検出制御部（５９）を備える。複数のＡ／Ｄ変換器は、複数の電池セルのそれぞれに対応して設けられ、対応する電池セルの電圧に応じた入力電圧を入力する。デジタルフィルタは、Ａ／Ｄ変換器から出力されるデジタル信号を入力するとともに低域通過フィルタとして機能する。アンチエイリアスフィルタは、デジタルフィルタによる折り返しを抑制する。検出制御部は、複数のＡ／Ｄ変換器の動作を制御するとともに、デジタルフィルタの出力信号に基づいて電池セルの電圧を検出する。この場合、デジタルフィルタのカットオフ周波数は、アンチエイリアスフィルタのカットオフ周波数よりも低い値に設定されている。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
遮蔽装置における遮蔽材の開閉に用いる所定のコードの一方向の移動速度を制限して遮蔽材の移動速度を一定値以下に制動する速度調整装置であって、
前記所定のコードの一方向の移動速度を制限する制動機構、及び、前記所定のコードを挿通するコード挿通孔を有し前記制動機構を収容するハウジングを有する速度調整器と、
前記ハウジングに対して被せるように構成されるカバーと、
を備えることを特徴とする速度調整装置。
【請求項２】
前記カバーは、前記所定のコードを挿通する切欠き又は挿通孔を有し、当該切欠き又は挿通孔を除き少なくとも前記ハウジングに形成される上部及び側部の前記制動機構へと外部から直通する孔部を塞ぐ形状を有する上カバーを含むことを特徴とする、請求項１に記載の速度調整装置。
【請求項３】
前記カバーは、更に、前記ハウジングに形成される下部の前記制動機構へと外部から直通する孔部を塞ぐ形状を有する下カバーを含むことを特徴とする、請求項２に記載の速度調整装置。
【請求項４】
前記カバーは、前記制動機構に前記所定のコードが挿通された状態で前記ハウジングを着脱可能に被せるように構成されていることを特徴とする、請求項１から３のいずれか一項に記載の速度調整装置。
【請求項５】
前記カバーは、前記所定のコードを区分して挿通する複数の挿通孔を有することを特徴とする、請求項１から４のいずれか一項に記載の速度調整装置。
【請求項６】
遮蔽装置における遮蔽材の開閉に用いる所定のコードの一方向の移動速度を制限して遮蔽材の移動速度を一定値以下に制動する速度調整装置であって、
前記所定のコードの一方向の移動速度を制限する制動機構と、
前記制動機構へと外部から直通する孔部として前記所定のコードを挿通するコード挿通孔のみを有し、前記制動機構を収容するハウジングと、
を備えることを特徴とする速度調整装置。
【請求項７】
前記コード挿通孔は、前記所定のコードを区分して挿通する複数の挿通孔で構成されていることを特徴とする、請求項６に記載の速度調整装置。
【請求項８】
所定のコードの移動によって遮蔽材を開閉する遮蔽装置であって、
該所定のコードの一方向の移動速度を制限して遮蔽材の移動速度を一定値以下に制動する、請求項１から７のいずれか一項に記載の速度調整装置と、
前記遮蔽材を支持する枠体と、を備え、
少なくとも上部が開口している前記枠体に、前記速度調整装置が配設されていることを特徴とする遮蔽装置。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
２００℃及びせん断速度０．１ｓ−１における溶融粘度が２５０Ｐａ・ｓ以下であり、引張強度が１０ＭＰａ以上であるフィラメントであり、
前記フィラメントにおける長さ方向と直交する方向における断面平均直径が１ｍｍ以上３０ｍｍ以下である、溶融紡糸用樹脂組成物。
【請求項２】
２００℃及びせん断速度０．１ｓ−１における溶融粘度が２５０Ｐａ・ｓ以下であり、引張強度が１０ＭＰａ以上であるフィラメントであり、
前記フィラメントはポリ乳酸系樹脂を含み、
前記ポリ乳酸系樹脂の重量平均分子量は、１０００ｇ／ｍｏｌ以上１０００００ｇ／ｍｏｌ以下である、溶融紡糸用樹脂組成物。
【請求項３】
前記フィラメントにおける断面平均直径に対する長さの比（フィラメントの長さ／フィラメントの断面平均直径）が２０以上である、請求項１又は２に記載の溶融紡糸用樹脂組成物。
【請求項４】
前記樹脂組成物は、ポリオレフィン樹脂及びポリエステル樹脂の一種以上を含む、請求項１ないし３のいずれか一項に記載の溶融紡糸用樹脂組成物。
【請求項５】
前記樹脂組成物はポリ乳酸系樹脂を含む、請求項１ないし４のいずれか一項に記載の溶融紡糸用樹脂組成物。
【請求項６】
破断ひずみが１％以上２０％以下である、請求項１ないし５のいずれか一項に記載の溶融紡糸用樹脂組成物。
【請求項７】
２００℃及びせん断速度０．１ｓ−１における溶融粘度が２５０Ｐａ・ｓ以下である樹脂組成物の溶融液をフィラメント状に成形し、その成形物を搬送しながら冷却する工程を有し、
長さ方向と直交する方向における断面平均直径が１ｍｍ以上３０ｍｍ以下のフィラメントを得る、フィラメントである溶融紡糸用樹脂組成物の製造方法。
【請求項８】
前記溶融液を吐出口から押し出して成形する押出成形部と、その成形物を搬送する搬送部とを備えるフィラメント製造装置を用い、
前記吐出口と前記搬送部との距離を、１ｍｍ以上５０ｍｍ以下とする、請求項７に記載の製造方法。
【請求項９】
前記溶融液を押し出してフィラメント状に成形し、その成形物を搬送しながら冷却する工程を備え、
前記溶融液の押し出し速度Ｖ１に対する、前記成形物の搬送速度Ｖ２の比（Ｖ２／Ｖ１）を、１以上５０以下とする、請求項７又は８に記載の製造方法。
【請求項１０】
溶融紡糸装置を用いる繊維の製造方法であって、
前記溶融紡糸装置は、原料が供給される供給口と、該供給口から供給された該原料に混練力を加えずに溶融させる加熱部と、該加熱部と直接に連通しており且つ溶融した該原料を吐出するノズルとを備え、
前記原料として、２００℃及びせん断速度０．１ｓ−１における溶融粘度が２５０Ｐａ・ｓ以下であり、引張強度が１０ＭＰａ以上であるフィラメントである溶融紡糸用樹脂組成物を用い、前記供給口から該フィラメントを供給しながら、溶融した前記原料を前記ノズルから吐出して紡糸する、繊維の製造方法。
【請求項１１】
前記溶融紡糸装置は、前記ノズルから吐出された前記原料を、
気体流に搬送させるための気体流噴射部を更に備え、
前記供給口から前記フィラメントを供給しながら、且つ前記気体流噴射部から気体流を噴射させた状態下に、溶融した前記原料を前記ノズルから吐出して紡糸する、
及び／又は、
帯電させるための帯電手段を更に備え、
前記供給口から前記フィラメントを供給しながら、且つ前記帯電手段によって電場を形成した状態下に、溶融した前記原料を前記ノズルから前記電場中に吐出して紡糸する、請求項１０に記載の繊維の製造方法。
【請求項１２】
２００℃及びせん断速度０．１ｓ−１における溶融粘度が２５０Ｐａ・ｓ以下である樹脂組成物をフィラメント状に押出成形する押出成形部と、押出成形された成形物を受け取って次工程へ搬送する搬送部とを備え、
前記樹脂組成物の吐出口と前記搬送部との距離が５０ｍｍ以下であり、且つ該吐出口の直径が１ｍｍ以上５０ｍｍ以下である、フィラメントである溶融紡糸用樹脂組成物の製造装置。
【請求項１３】
原料が供給される供給口と、該供給口から供給された該原料に混練力を加えずに溶融させる加熱部と、該加熱部と直接に連通しており且つ溶融した該原料を吐出するノズルとを備え、
前記原料として、２００℃及びせん断速度０．１ｓ−１における溶融粘度が２５０Ｐａ・ｓ以下であるフィラメントである溶融紡糸用樹脂組成物を用い、前記供給口から該フィラメントを供給しながら、溶融した前記原料を前記ノズルから吐出して紡糸できるように構成されている、溶融紡糸装置。
【請求項１４】
２００℃及びせん断速度０．１ｓ−１における溶融粘度が２５０Ｐａ・ｓ以下である樹脂組成物をフィラメント状に押出成形する押出成形部と、押出成形された成形物を受け取って次工程へ搬送する搬送部とを備え、前記樹脂組成物の吐出口と前記搬送部との距離が５０ｍｍ以下であり且つ該吐出口の直径が１ｍｍ以上５０ｍｍ以下である、フィラメントである溶融紡糸用樹脂組成物の製造装置、並びに
前記製造装置によって製造された前記溶融紡糸用樹脂組成物が供給される供給口と、該供給口から供給された該樹脂組成物を混練力を加えずに溶融させる加熱部と、該加熱部と直接に連通しており且つ溶融した該樹脂組成物を吐出するノズルとを備える、溶融紡糸装置。
【請求項１５】
前記ノズルから吐出された前記樹脂組成物を、
気体流に搬送させるための気体流噴射部、及び／又は、帯電させるための電極を更に備える、請求項１３又は１４に記載の溶融紡糸装置。
【手続補正２】
【補正対象書類名】明細書
【補正対象項目名】発明の名称
【補正方法】変更
【補正の内容】
【発明の名称】溶融紡糸用樹脂組成物、その製造装置及びその製造方法、繊維の製造方法、並びに、溶融紡糸装置
【手続補正書】
【提出日】令和3年5月19日(2021.5.19)
【手続補正１】
【補正対象書類名】特許請求の範囲
【補正対象項目名】請求項１
【補正方法】変更
【補正の内容】
【請求項１】
「Ｎ」個のリールを備え、
クレジット数が上限値であるときに、所定抽選結果が決定され、「Ｎ−１」個のリールが停止している状況下で、「Ｎ」個目のリールに対応するストップスイッチの操作が受け付けられて、遊技媒体の付与が行われる特定図柄組合せが停止表示される遊技（以下、「特定の遊技」と称する。）において、「Ｎ」個目のリールに対応するストップスイッチの操作が受け付けられたときは、「Ｎ」個目のリールを停止させるための励磁出力を所定期間に亘って実行可能とし、「Ｎ」個目のリールが停止した後も当該励磁出力を当該所定期間が経過するまで継続可能とし、
前記特定の遊技において、「Ｎ」個目のリールに対応するストップスイッチの操作が受け付けられた後、「Ｎ」個目のリールを停止させるための励磁出力を実行する前記所定期間が経過する前の所定のタイミングで「Ｎ」個目のリールに対応するストップスイッチが離された場合には、前記所定期間が経過した後にホッパーの駆動信号を出力可能とし、
クレジット数が「０」であるときに、前記所定抽選結果が決定され、「Ｎ−１」個のリールが停止している状況下で、「Ｎ」個目のリールに対応するストップスイッチの操作が受け付けられて、前記特定図柄組合せが停止表示される遊技（以下、「所定の遊技」と称する。）において、「Ｎ」個目のリールに対応するストップスイッチの操作が受け付けられたときは、「Ｎ」個目のリールを停止させるための励磁出力を前記所定期間に亘って実行可能とし、「Ｎ」個目のリールが停止した後も当該励磁出力を当該所定期間が経過するまで継続可能とし、
前記所定の遊技において、「Ｎ」個目のリールに対応するストップスイッチの操作が受け付けられた後、「Ｎ」個目のリールを停止させるための励磁出力を実行する前記所定期間が経過する前の前記所定のタイミングで「Ｎ」個目のリールに対応するストップスイッチが離された場合には、前記所定期間が経過した後にクレジット数を加算可能とし、
１個のリールを停止させるための励磁出力を実行するのに必要な最大電流の設計値は、ホッパーを駆動させるのに必要な最大電流の設計値よりも小さい
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明（第２９実施形態）は、
「Ｎ」個（３個）のリール（３１）を備え、
クレジット数が上限値（「５０」）であるときに、所定抽選結果が決定され（たとえば、役抽選手段６１で当選番号「１０」に当選し、小役Ａ１条件装置が作動して、１５枚の払出しとなる小役０１、又は３枚の払出しとなる小役１３〜１７のいずれかが入賞可能となり）、「Ｎ−１」個のリールが停止している状況下で、「Ｎ」個目のリールに対応するストップスイッチの操作が受け付けられて、遊技媒体の付与が行われる特定図柄組合せ（たとえば、３枚の払出しとなる小役１３に対応する図柄組合せ）が停止表示される遊技（以下、「特定の遊技」と称する。）において、「Ｎ」個目のリールに対応するストップスイッチの操作が受け付けられたときは、「Ｎ」個目のリールを停止させるための励磁出力を所定期間（当初明細書「２２７１」における「２０１．０６ｍｓ」間）に亘って実行可能とし、「Ｎ」個目のリールが停止した後も当該励磁出力を当該所定期間が経過するまで継続可能とし、
前記特定の遊技において、「Ｎ」個目のリールに対応するストップスイッチの操作が受け付けられた後、「Ｎ」個目のリールを停止させるための励磁出力を実行する前記所定期間が経過する前の所定のタイミングで「Ｎ」個目のリールに対応するストップスイッチが離された場合には、前記所定期間が経過した後にホッパーの駆動信号を出力可能とし、
クレジット数が「０」であるときに、前記所定抽選結果が決定され、「Ｎ−１」個のリールが停止している状況下で、「Ｎ」個目のリールに対応するストップスイッチの操作が受け付けられて、前記特定図柄組合せが停止表示される遊技（以下、「所定の遊技」と称する。）において、「Ｎ」個目のリールに対応するストップスイッチの操作が受け付けられたときは、「Ｎ」個目のリールを停止させるための励磁出力を前記所定期間に亘って実行可能とし、「Ｎ」個目のリールが停止した後も当該励磁出力を当該所定期間が経過するまで継続可能とし、
前記所定の遊技において、「Ｎ」個目のリールに対応するストップスイッチの操作が受け付けられた後、「Ｎ」個目のリールを停止させるための励磁出力を実行する前記所定期間が経過する前の前記所定のタイミングで「Ｎ」個目のリールに対応するストップスイッチが離された場合には、前記所定期間が経過した後にクレジット数を加算可能とし、
１個のリールを停止させるための励磁出力を実行するのに必要な最大電流の設計値（「５００」〜「８００」ｍＡ）は、ホッパーを駆動させるのに必要な最大電流の設計値（「２５００」〜「４０００」ｍＡ）よりも小さい
ことを特徴とする。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
投入口から投入された遊技媒体が通過する通路中に設けられ、遊技媒体を検知し得る検知手段Ａ、検知手段Ｂ、検知手段Ｃ、及び検知手段Ｄ（検知手段Ｂは、検知手段Ａより下流側に位置し、検知手段Ｃは検知手段Ｂより下流側に位置し、検知手段Ｄは検知手段Ｃより下流側に位置する）を備え、
ベット数が「３」であり、クレジット数が所定値（所定値はクレジット数の上限値未満の値）である状況にて、投入口から遊技媒体が投入される場合において、当該遊技媒体に対する検知手段Ｂと検知手段Ｃの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合における、当該遊技媒体を検知手段Ａが検知する時から、当該遊技媒体を検知手段Ｂが検知する時までの期間の設計値をＴ２とし、
ベット数が「３」であり、クレジット数が所定値（所定値はクレジット数の上限値未満の値）である状況にて、投入口から遊技媒体が投入される場合における、当該遊技媒体を検知手段Ｂが検知する時から、当該遊技媒体を検知手段Ｃが検知して当該遊技媒体を検知手段Ｂが検知しなくなり当該遊技媒体を検知手段Ｃが検知しなくなる時までの期間の設計値をＴ３とし、
ベット数が「３」であり、クレジット数が所定値（所定値はクレジット数の上限値未満の値）である状況にて、投入口から遊技媒体が投入される場合における、当該遊技媒体が検知手段Ｃにより検知される位置に到達する時から、当該遊技媒体が検知手段Ｄにより検知される位置に到達する時までの期間の設計値をＴ４としたとき、
Ｔ１＜Ｔ２
Ｔ１＞Ｔ３
Ｔ１＜Ｔ４
となっている遊技機。
【手続補正２】
【補正対象書類名】明細書
【補正対象項目名】０００５
【補正方法】変更
【補正の内容】
【０００５】
本態様に係る遊技機は、
投入口から投入された遊技媒体が通過する通路中に設けられ、遊技媒体を検知し得る検知手段Ａ、検知手段Ｂ、検知手段Ｃ、及び検知手段Ｄ（検知手段Ｂは、検知手段Ａより下流側に位置し、検知手段Ｃは検知手段Ｂより下流側に位置し、検知手段Ｄは検知手段Ｃより下流側に位置する）を備え、
ベット数が「３」であり、クレジット数が所定値（所定値はクレジット数の上限値未満の値）である状況にて、投入口から遊技媒体が投入される場合において、当該遊技媒体に対する検知手段Ｂと検知手段Ｃの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合における、当該遊技媒体を検知手段Ａが検知する時から、当該遊技媒体を検知手段Ｂが検知する時までの期間の設計値をＴ２とし、
ベット数が「３」であり、クレジット数が所定値（所定値はクレジット数の上限値未満の値）である状況にて、投入口から遊技媒体が投入される場合における、当該遊技媒体を検知手段Ｂが検知する時から、当該遊技媒体を検知手段Ｃが検知して当該遊技媒体を検知手段Ｂが検知しなくなり当該遊技媒体を検知手段Ｃが検知しなくなる時までの期間の設計値をＴ３とし、
ベット数が「３」であり、クレジット数が所定値（所定値はクレジット数の上限値未満の値）である状況にて、投入口から遊技媒体が投入される場合における、当該遊技媒体が検知手段Ｃにより検知される位置に到達する時から、当該遊技媒体が検知手段Ｄにより検知される位置に到達する時までの期間の設計値をＴ４としたとき、
Ｔ１＜Ｔ２
Ｔ１＞Ｔ３
Ｔ１＜Ｔ４
となっている遊技機である。
＜付記＞
尚、本態様とは異なる別態様について以下に列記しておくが、これらには何ら限定されることなく実施することが可能である。
本別態様に係る遊技機は、
正面側が開口した箱状の基体と、
基体の開口を開閉可能な前扉と、
複数のリールと、
複数のストップスイッチと、
遊技媒体払出装置と、
遊技媒体払出装置から払い出された遊技媒体を受ける受け部と、
前扉の裏面側に設けられ、遊技媒体払出装置から払い出された遊技媒体を受け部に導く所定連絡通路と、
前扉センサと、
を備え、
前扉が施錠された閉鎖状態の状況下からこの閉鎖状態の前扉が開錠されて基体から特定距離だけ離間している特定の開放位置では前扉センサの検出信号により前扉の開放を検知せず、
前扉が施錠された閉鎖状態の状況下からこの閉鎖状態の前扉が開錠されて基体から所定距離だけ離間している所定の開放位置では前扉センサの検出信号により前扉の開放を検知し、
特定の開放位置において、遊技媒体払出装置から払い出された遊技媒体は、所定連絡通路を介して受け部に導かれ得るように構成されており、
所定の開放位置において、遊技媒体払出装置から払い出された遊技媒体は、所定連絡通路を介して受け部に導かれ得るように構成されており、
リールの回転中において、前扉の開放を検知した状況下で、ストップスイッチによるリールの停止が不可能となるように構成され、その後、前扉の閉鎖を検知した瞬間の状況下で、ストップスイッチによるリールの停止が不可能となるように構成されており、
前扉が開放状態となっていることを報知可能に構成されている
ことを特徴とする遊技機である。
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
正面側が開口した箱状の基体と、
基体の開口を開閉可能な前扉と、
施錠装置と
を備え、
施錠装置における所定の取っ手が操作されると前扉が開放可能となるよう構成されており、
基体の背面部には、最大径が１００ｍｍ以上の第一開口部が形成されており、
第一開口部を介して手指を用いて施錠装置における所定の取っ手が操作可能となっており、
基体の背面部には、第二開口部が形成されており、
施錠装置における所定の取っ手は、第二開口部から視認可能となっている
遊技機。
【手続補正２】
【補正対象書類名】明細書
【補正対象項目名】０００５
【補正方法】変更
【補正の内容】
【０００５】
本態様に係る遊技機は、
正面側が開口した箱状の基体と、
基体の開口を開閉可能な前扉と、
施錠装置と
を備え、
施錠装置における所定の取っ手が操作されると前扉が開放可能となるよう構成されており、
基体の背面部には、最大径が１００ｍｍ以上の第一開口部が形成されており、
第一開口部を介して手指を用いて施錠装置における所定の取っ手が操作可能となっており、
基体の背面部には、第二開口部が形成されており、
施錠装置における所定の取っ手は、第二開口部から視認可能となっている
遊技機である。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
演算機能を備えた所定のＩＣと、
所定の制御基板と、
所定の制御基板を収容する基板ケースと、
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）と
を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合における、当該遊技媒体が検知手段Ｂにより検知される位置に到達する時から、当該遊技媒体が検知手段Ｃにより検知される位置に到達する時までの期間の設計値をＴ２としたとき、
Ｔ１＜Ｔ２
となっており、
基板ケースは上カバーと下カバーとから構成されており、
上カバーの或る面には、上カバーの成型時のゲート跡を有し、
所定の制御基板の一方の面には所定のＩＣが搭載されており、
基板ケースに所定の制御基板が収容されている状態では、上カバーを介して所定のＩＣが視認可能となっており、
上カバーの或る面における所定のＩＣとの垂直方向に重なる範囲には、ゲート跡を有さないよう構成されている
遊技機。
【手続補正２】
【補正対象書類名】明細書
【補正対象項目名】０００５
【補正方法】変更
【補正の内容】
【０００５】
本態様に係る遊技機は、
演算機能を備えた所定のＩＣと、
所定の制御基板と、
所定の制御基板を収容する基板ケースと、
投入口から投入された遊技媒体が通過する通路中に設けられ、遊技媒体を検知し得る検知手段Ａ、検知手段Ｂ、及び検知手段Ｃ（検知手段Ｂは、検知手段Ａより下流側に位置し、検知手段Ｃは検知手段Ｂより下流側に位置する）と
を備え、
ベット数が「３」であり、クレジット数が所定値（所定値はクレジット数の上限値未満の値）である状況にて、投入口から遊技媒体が投入される場合において、当該遊技媒体に対する検知手段Ａと検知手段Ｂの検知結果が所定条件を満たすと、クレジット数に「１」を加算し得るよう構成されており、
ベット数が「３」であり、クレジット数が所定値（所定値はクレジット数の上限値未満の値）である状況にて、電源の供給が遮断される事象が発生した時から、当該電源の供給が遮断される事象を検知し、電源断処理を実行する時までの期間の設計値をＴ１とし、
ベット数が「３」であり、クレジット数が所定値（所定値はクレジット数の上限値未満の値）である状況にて、投入口から遊技媒体が投入される場合における、当該遊技媒体が検知手段Ｂにより検知される位置に到達する時から、当該遊技媒体が検知手段Ｃにより検知される位置に到達する時までの期間の設計値をＴ２としたとき、
Ｔ１＜Ｔ２
となっており、
基板ケースは上カバーと下カバーとから構成されており、
上カバーの或る面には、上カバーの成型時のゲート跡を有し、
所定の制御基板の一方の面には所定のＩＣが搭載されており、
基板ケースに所定の制御基板が収容されている状態では、上カバーを介して所定のＩＣが視認可能となっており、
上カバーの或る面における所定のＩＣとの垂直方向に重なる範囲には、ゲート跡を有さないよう構成されている
遊技機である。
＜付記＞
尚、本態様とは異なる別態様について以下に列記しておくが、これらには何ら限定されることなく実施することが可能である。
本別態様に係る遊技機は、
正面側が開口した箱状の基体と、
基体の開口を開閉可能な前扉と、
複数のリールと、
複数のストップスイッチと、
投入口と、
遊技媒体払出装置と、
前扉の裏面側に設けられ、投入口から投入された遊技媒体を遊技媒体払出装置に導く特定連絡通路と、
前扉センサと、
を備え、
前扉が施錠された閉鎖状態の状況下からこの閉鎖状態の前扉が開錠されて基体から特定距離だけ離間している特定の開放位置では前扉センサの検出信号により前扉の開放を検知せず、
前扉が施錠された閉鎖状態の状況下からこの閉鎖状態の前扉が開錠されて基体から所定距離だけ離間している所定の開放位置では前扉センサの検出信号により前扉の開放を検知し、
特定の開放位置において、投入口から投入された遊技媒体は、特定連絡通路を介して遊技媒体払出装置に導かれ得るように構成されており、
所定の開放位置において、投入口から投入された遊技媒体は、特定連絡通路を介して遊技媒体払出装置に導かれ得るように構成されており、
リールの回転中において、前扉の開放を検知した状況下で、ストップスイッチによるリールの停止が不可能となるように構成され、その後、前扉の閉鎖を検知した瞬間の状況下で、ストップスイッチによるリールの停止が不可能となるように構成されており、
前扉が開放状態となっていることを報知可能に構成されている
ことを特徴とする遊技機である。
【手続補正書】
【提出日】令和3年5月19日(2021.5.19)
【手続補正１】
【補正対象書類名】特許請求の範囲
【補正対象項目名】請求項１
【補正方法】変更
【補正の内容】
【請求項１】
遊技の進行を制御する遊技制御手段と、  遊技者にとって有利な特別遊技を実行するか否かの抽選に関する設定値を設定可能な設定手段と、を備え、  前記遊技の進行が可能な遊技可能状態、又は前記設定値に関連して前記遊技の進行が不可となる遊技不可状態になり得るとともに、遊技機の外部への情報の送信を制御可能な遊技機であって、  前記遊技不可状態においては、前記遊技可能状態において送信し得る情報のうち、特定の情報の送信を制御可能であることを特徴とする遊技機。
【手続補正２】
【補正対象書類名】明細書
【補正対象項目名】０００７
【補正方法】変更
【補正の内容】
【０００７】  （１）本発明は、遊技の進行を制御する遊技制御手段と、遊技者にとって有利な特別遊技を実行するか否かの抽選に関する設定値を設定可能な設定手段と、を備え、前記遊技の進行が可能な遊技可能状態、又は前記設定値に関連して前記遊技の進行が不可となる遊技不可状態になり得るとともに、遊技機の外部への情報の送信を制御可能な遊技機であって、前記遊技不可状態においては、前記遊技可能状態において送信し得る情報のうち、特定の情報の送信を制御可能であることを特徴とする。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
リールテープと、前記リールテープが巻き付けられるリール基部と、前記リール基部を回転させるモータと、前記モータが固定されるモータ固定ベースと、を少なくとも含むリールと、
前記リールが複数個並列に固定されているリールユニットと、
複数の前記リールを前記リールユニットにそれぞれ固定するための複数の係止部品と
を備え、
複数の前記リールのうち所定のリールと、前記リールユニットと、が前記複数の係止部品のうち所定の係止部品によって前記所定のリールを構成する前記リールテープよりも上方で固定されており、
前記所定の係止部品の長手方向の長さｍと、前記所定のリールを構成する前記リールテープの頂部から前記リールユニットの上部内壁までの垂直距離ｎと、の関係がｍ＞ｎとなっており、
前記リールユニットの背面部における前記所定のリールに対応する領域には、所定の開口部が形成されており、
前記所定の係止部品の長手方向の長さｍと、前記所定の開口部の最大長さａと、の関係がｍ＜ａとなっている
ことを特徴とする遊技機。
【手続補正２】
【補正対象書類名】明細書
【補正対象項目名】０００５
【補正方法】変更
【補正の内容】
【０００５】
本発明は、リールテープと、前記リールテープが巻き付けられるリール基部と、前記リール基部を回転させるモータと、前記モータが固定されるモータ固定ベースと、を少なくとも含むリールと、前記リールが複数個並列に固定されているリールユニットと、複数の前記リールを前記リールユニットにそれぞれ固定するための複数の係止部品とを備え、複数の前記リールのうち所定のリールと、前記リールユニットと、が前記複数の係止部品のうち所定の係止部品によって前記所定のリールを構成する前記リールテープよりも上方で固定されており、前記所定の係止部品の長手方向の長さｍと、前記所定のリールを構成する前記リールテープの頂部から前記リールユニットの上部内壁までの垂直距離ｎと、の関係がｍ＞ｎとなっており、前記リールユニットの背面部における前記所定のリールに対応する領域には、所定の開口部が形成されており、前記所定の係止部品の長手方向の長さｍと、前記所定の開口部の最大長さａと、の関係がｍ＜ａとなっていることを特徴とする遊技機である。
また、本発明は、複数のリールと、複数のストップスイッチと、スタートスイッチと、遊技メダルを投入可能なメダル投入口と、遊技メダルが通過可能なセレクタとを備え、セレクタ内部のブロッカが第１態様となっている場合は、セレクタ内部を通過するメダルがホッパーに導かれないよう構成されており、セレクタ内部のブロッカが第２態様となっている場合は、セレクタ内部を通過するメダルがホッパーに導かれ得るよう構成されており、スタートスイッチの操作が検知されることによりスタートスイッチの操作が受け付けられ、内部抽せん手段による内部抽せん結果として所定の結果が決定され、全てのリールに対するリール回転制御が所定のタイミングで開始された状況下において、当該所定のタイミングでメダル投入口からメダルが投入された場合は、当該メダルがブロッカに到達したときのブロッカは第１態様となっているよう設計されており、前記所定の結果が決定された遊技において、最終停止操作となる所定のストップスイッチの操作が検知されることにより所定のストップスイッチの操作が受け付けられ、その後所定のストップスイッチの操作が特定のタイミングで検知されなくなった状況下において、当該特定のタイミングでメダル投入口からメダルが投入された場合は、当該メダルがブロッカに到達したときのブロッカは第２態様となっているよう設計されていることを特徴とする遊技機であってもよい。
【手続補正書】
【提出日】令和3年5月19日(2021.5.19)
【手続補正１】
【補正対象書類名】特許請求の範囲
【補正対象項目名】請求項１
【補正方法】変更
【補正の内容】
【請求項１】
遊技の進行を制御する遊技制御手段と、  遊技者にとって有利な特別遊技を実行するか否かの抽選に関する設定値を設定可能な設定手段と、を備え、  前記遊技の進行が可能な遊技可能状態、又は前記設定値に関連して前記遊技の進行が不可となる遊技不可状態になり得るとともに、所定条件の成立に基づいて、エラーが発生する遊技機であって、  前記遊技不可状態においては、発生し得るエラーのうち、特定のエラーの発生を検出可能であることを特徴とする遊技機。
【手続補正２】
【補正対象書類名】明細書
【補正対象項目名】０００７
【補正方法】変更
【補正の内容】
【０００７】  （１）本発明は、遊技の進行を制御する遊技制御手段と、遊技者にとって有利な特別遊技を実行するか否かの抽選に関する設定値を設定可能な設定手段と、を備え、前記遊技の進行が可能な遊技可能状態、又は前記設定値に関連して前記遊技の進行が不可となる遊技不可状態になり得るとともに、所定条件の成立に基づいて、エラーが発生する遊技機であって、前記遊技不可状態においては、発生し得るエラーのうち、特定のエラーの発生を検出可能であることを特徴とする。  ここで、所定条件としては、たとえば、遊技球が払い出されるための条件が成立したにもかかわらず遊技球が払い出されないこと、払い出された遊技球を貯留可能な受皿に所定個数以上の遊技球が貯留されたこと、遊技球の払い出しに係る機器に故障が発生したこと、払い出し予定以上の遊技球の払い出しが行われたこと、電波が照射されたこと等が挙げられる。
【手続補正書】
【提出日】令和3年5月19日(2021.5.19)
【手続補正１】
【補正対象書類名】特許請求の範囲
【補正対象項目名】請求項１
【補正方法】変更
【補正の内容】
【請求項１】
遊技の進行を制御する遊技制御手段と、  遊技球を払い出す払出手段と、  遊技者にとって有利な特別遊技を実行するか否かの抽選に関する設定値を設定可能な設定手段と、を備え、  前記遊技の進行が可能な遊技可能状態、又は前記設定値に関連して前記遊技の進行が不可となる遊技不可状態になり得る遊技機であって、  前記遊技不可状態において、前記払出手段による遊技球の払い出しを実行可能であることを特徴とする遊技機。
【手続補正２】
【補正対象書類名】明細書
【補正対象項目名】０００７
【補正方法】変更
【補正の内容】
【０００７】  （１）本発明は、遊技の進行を制御する遊技制御手段と、遊技球を払い出す払出手段と、遊技者にとって有利な特別遊技を実行するか否かの抽選に関する設定値を設定可能な設定手段と、を備え、前記遊技の進行が可能な遊技可能状態、又は前記設定値に関連して前記遊技の進行が不可となる遊技不可状態になり得る遊技機であって、前記遊技不可状態において、前記払出手段による遊技球の払い出しを実行可能であることを特徴とする。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
内部抽選手段による内部抽選の結果として所定の結果となったときは、所定図柄組合せが停止可能であるよう構成されており、
所定図柄組合せが停止したときは、１の遊技媒体を付与可能であるよう構成されており、
内部抽選手段による内部抽選の結果として所定の結果となって、所定図柄組合せが停止した後に最終停止操作となるストップスイッチが離されたタイミングからブロッカが遊技媒体の通過を許可するまでの時間をＴ１とし、
遊技媒体が投入されてからブロッカに到達するまでの時間をＴ２としたとき、
Ｔ１＜Ｔ２
となっている遊技機。
【手続補正２】
【補正対象書類名】明細書
【補正対象項目名】０００５
【補正方法】変更
【補正の内容】
【０００５】
本発明に係る遊技機は、内部抽選手段による内部抽選の結果として所定の結果となったときは、所定図柄組合せが停止可能であるよう構成されており、所定図柄組合せが停止したときは、１の遊技媒体を付与可能であるよう構成されており、内部抽選手段による内部抽選の結果として所定の結果となって、所定図柄組合せが停止した後に最終停止操作となるストップスイッチが離されたタイミングからブロッカが遊技媒体の通過を許可するまでの時間をＴ１とし、遊技媒体が投入されてからブロッカに到達するまでの時間をＴ２としたとき、Ｔ１＜Ｔ２となっている。
また、本発明に係る遊技機は、複数のリールと、複数のストップスイッチと、スタートスイッチと、遊技メダルを投入可能なメダル投入口と、遊技メダルが通過可能なセレクタとを備え、セレクタ内部のブロッカが第１態様となっている場合は、セレクタ内部を通過するメダルがホッパーに導かれないよう構成されており、セレクタ内部のブロッカが第２態様となっている場合は、セレクタ内部を通過するメダルがホッパーに導かれ得るよう構成されており、スタートスイッチの操作が検知されることによりスタートスイッチの操作が受け付けられ、内部抽せん手段による内部抽せん結果として所定の結果が決定され、全てのリールに対するリール回転制御が所定のタイミングで開始された状況下において、当該所定のタイミングでメダル投入口からメダルが投入された場合は、当該メダルがブロッカに到達したときのブロッカは第１態様となっているよう設計されており、前記所定の結果が決定された遊技において、最終停止操作となる所定のストップスイッチの操作が検知されることにより所定のストップスイッチの操作が受け付けられ、その後所定のストップスイッチの操作が特定のタイミングで検知されなくなった状況下において、当該特定のタイミングでメダル投入口からメダルが投入された場合は、当該メダルがブロッカに到達したときのブロッカは第２態様となっているよう設計されている態様であってもよい。